(57)【要約】【課題】従来のサイクロン式集塵装置においては、一次フィルターのお手入れをする場合、ダストボックス部からカバー部、二次フィルター部、一次フィルター部をそれぞれ取り出すこととなり、メンテナンス動作が多く、使い勝手が良くないものであった。【解決手段】カバー部２９は、一次フィルター１４と着脱自在、かつ二次フィルター１１を一次フィルター１４内に挿入状態で一体化となる構成とし、一体化したカバー部２９と一次フィルター１４は、ダストボックス本体１５と着脱自在、かつ一次フィルター１４をダストボックス本体１５内に挿入状態で一体化となる構成とすることにより、一次フィルター１４のお手入れをする場合、カバー部２９と一体化した一次フィルター１４をダストボックス本体１５から取り出すだけでよく、メンテナンスの容易化を図ることができる。【選択図】図７
2013111333.tif 000002
【特許請求の範囲】
【請求項１】
空気流の入口を側面に備えた略円筒状のダストボックス本体と、
前記ダストボックス本体内に同心状に配置される略円筒状の一次フィルターと、
前記ダストボックス本体の内面と前記一次フィルターの外周面との間に形成したサイクロン空間と、
前記サイクロン空間の下方に設けた略円筒状の塵埃蓄積空間と、
前記一次フィルターの上部に設けた上部カバーと、
前記上部カバーの下方に設けた二次フィルターと、
前記二次フィルターを除塵する除塵部と、
前記上部カバーと前記二次フィルターおよび前記除塵部とが締結手段により連結され一体に構成されたカバー部と、を備え、
前記カバー部は、前記一次フィルターと着脱自在、かつ前記二次フィルターを前記一次フィルター内に挿入状態で一体化となる構成とし、
前記一体化した前記カバー部と前記一次フィルターは、前記ダストボックス本体と着脱自在、かつ前記一次フィルターを前記ダストボックス本体内に挿入状態で一体化となる構成としたことを特徴とするサイクロン式集塵装置。
【請求項２】
請求項１記載のサイクロン式集塵装置を備えた電気掃除機。
【発明の詳細な説明】
【技術分野】
【０００１】
本発明は、電気掃除機に関するもので、特に、サイクロン式電気掃除機の集塵装置に関するものである。
【背景技術】
【０００２】
近年のサイクロン式掃除機の集塵装置は、吸込具から塵埃と共に吸引される空気を円筒集塵部内で旋回させることにより、空気中に混じった塵埃を遠心力を利用して分離し、分離した塵埃を円筒集塵部下方の集塵室に捕集するものであり、塵埃が分離された空気は電動送風機による吸引側に吸込まれるようになっている。その中でダストボックスのフィルターを定期的にお手入れする必要がある。図９に示すように、従来、一次フィルター部１０５のお手入れをする場合、ハンドル１０２を倒立させ、バックル１０３を外し、ハンドル１０３を持ち手としてカバー部１０１をダストボックス部１０６から取り外し、その後、一次フィルター部１０５と二次フィルター部１０４からなる着脱自在一体化構成部品であるフィルター部１０７をダストボックス部１０６から取り出す構成としていた。（例えば、特許文献１参照）。
【先行技術文献】
【特許文献】
【０００３】
【特許文献１】特開２０１１−１１０２３４号公報
【発明の概要】
【発明が解決しようとする課題】
【０００４】
しかしながら、前記従来の構成では、一次フィルター部１０５のお手入れをする場合、ダストボックス部１０６からカバー部１０１、フィルター部１０７をそれぞれ二回に渡り部品を取り出すこととなり、メンテナンス動作が多く、使い勝手が良くないものであった。
【０００５】
本発明は、前記従来の課題を解決するもので、メンテナンスの容易化を目的とする。
【課題を解決するための手段】
【０００６】
前記従来の課題を解決するために、本発明のサイクロン式集塵装置は、空気流の入口を側面に備えた略円筒状のダストボックス本体と、前記ダストボックス本体内に同心状に配置される略円筒状の一次フィルターと、前記ダストボックス本体の内面と前記一次フィルターの外周面との間に形成したサイクロン空間と、前記サイクロン空間の下方に設けた略円筒状の塵埃蓄積空間と、前記一次フィルターの上部に設けた上部カバーと、前記上部カバーの下方に設けた二次フィルターと、前記二次フィルターを除塵する除塵部と、前記上部カバーと前記二次フィルターおよび前記除塵部とが締結手段により連結され一体に構成されたカバー部と、を備え、前記カバー部は、前記一次フィルターと着脱自在、かつ前記二次フィルターを前記一次フィルター内に挿入状態で一体化となる構成とし、前記一体化した前記カバー部と前記一次フィルターは、前記ダストボックス本体と着脱自在、かつ前記一次フィルターを前記ダストボックス本体内に挿入状態で一体化となる構成とした。これにより、一次フィルターのお手入れをする場合、カバー部と一体化した一次フィルターをダストボックス本体から取り出すだけで可能となる。
【発明の効果】
【０００７】
本発明のサイクロン式集塵装置は、カバー部と一次フィルターを着脱自在でかつ一体化構成とすることにより、一次フィルターのお手入れをする場合、カバー部と一体化した一
次フィルターをダストボックス部から取り出すだけでよく、メンテナンスの容易化を図ることができる。
【図面の簡単な説明】
【０００８】
【図１】本発明の実施の形態１における集塵装置を備えた電気掃除機の全体斜視図
【図２】同集塵装置の斜め前方からの斜視図
【図３】同集塵装置の斜め後方からの斜視図
【図４】図２におけるＡ−Ａ断面図
【図５】図３におけるＢ−Ｂ断面図
【図６】同集塵装置のカバー部の組み立て斜視図
【図７】（ａ）同集塵装置のフィルター部の組み立て構成斜視図、（ｂ）同集塵装置のフィルター部とダストボックス本体との組み立て構成斜視図
【図８】同集塵装置のフィルター部の組み立て構成断面図
【図９】従来集塵装置の組み立て構成斜視図
【発明を実施するための形態】
【０００９】
第１の発明は、空気流の入口を側面に備えた略円筒状のダストボックス本体と、前記ダストボックス本体内に同心状に配置される略円筒状の一次フィルターと、前記ダストボックス本体の内面と前記一次フィルターの外周面との間に形成したサイクロン空間と、前記サイクロン空間の下方に設けた略円筒状の塵埃蓄積空間と、前記一次フィルターの上部に設けた上部カバーと、前記上部カバーの下方に設けた二次フィルターと、前記二次フィルターを除塵する除塵部と、前記上部カバーと前記二次フィルターおよび前記除塵部とが締結手段により連結され一体に構成されたカバー部と、を備え、前記カバー部は、前記一次フィルターと着脱自在、かつ前記二次フィルターを前記一次フィルター内に挿入状態で一体化となる構成とし、前記一体化した前記カバー部と前記一次フィルターは、前記ダストボックス本体と着脱自在、かつ前記一次フィルターを前記ダストボックス本体内に挿入状態で一体化となる構成とすることにより、一次フィルターのお手入れをする場合、カバー部と一体化した一次フィルターをダストボックス本体から取り出すだけでよく、メンテナンスの容易化を図ることができる。
【００１０】
第２の発明は、特に、第１の発明のサイクロン式集塵装置を備えた電気掃除機とすることにより、フィルターのメンテナンスの容易化が図れる使い勝手の良い電気掃除機とすることができる。
【００１１】
以下、本発明の実施の形態について、図面を参照しながら説明する。なお、この実施の形態によってこの発明が限定されるものではない。
【００１２】
（実施の形態１）
本発明の第１の実施の形態における集塵装置を用いた電気掃除機について、図１〜９を用いて説明する。図１は、本発明の実施の形態１における集塵装置を備えた電気掃除機の全体斜視図、図２は同集塵装置の斜め前方からの斜視図、図３は同集塵装置の斜め後方からの斜視図、図４は図２におけるＡ−Ａ断面図、図５は図３におけるＢ−Ｂ断面図、図６は同集塵装置のカバー部の組み立て斜視図、図７は同集塵装置のフィルター部組み立て構成斜視図、図８は、同集塵装置のフィルター部の組み立て構成断面図、図９は従来集塵装置の組み立て構成斜視図である。
【００１３】
図１は、本発明の実施の形態１における集塵装置を備えた電気掃除機の全体斜視図を示すものである。
【００１４】
図１において、掃除機本体１と、掃除機本体１の下方に設けた吸入口１ａに接続される
塵埃を吸引する開口部（図示せず）を有する吸込具２からなり、前記掃除機本体１には、塵埃を吸引するための電動送風機５、塵埃を集塵する集塵装置６が内蔵されている。また、吸入口１ａとは別に後方に設けた吸入口１ｂに接続されるホース３と、ホースの先端に接続される接続パイプ４と、接続パイプ４の先端に設けられた吸引する開口部（図示せず）を有し、壁や天井等の高所に付着する塵埃等の吸い込みを可能としている。
【００１５】
図２は、同集塵装置の斜め前方からの斜視図、図３は、同集塵装置の斜め後方からの斜視図を示すものである。図２、３において集塵装置６は、構成部品を大きく分けると、外郭はダストボックス本体１５と、ダストボックス本体１５の上面を塞ぐように構成された上部カバー８と、上部カバー８に備え付けられたハンドル９と、ダストボックス本体１５の下面を塞ぐように設けられた底ブタ１７とから構成される。
【００１６】
底ブタ１７は、ダストボックス本体１５に設けたヒンジ部１５ａで回動可能で、爪１７ａでダストボックス本体１５に係止されている。また底ブタ１７に取り付けられたパッキンＣ２０によってダストボックス本体１５とエアータイト（気密性保持）される。
【００１７】
図４は、図２におけるＡ−Ａ断面図を示すものである。図４に示すように、底ブタ１７は爪１７ａが開き、ロックが外れて、開閉できる構成となっており、スライダー１６を押すと爪１７ａが開き、底ブタ１７が開放される。なお上部カバー８は左右のバックル１０でダストボックス本体１５と係合している（図２、３、５参照）。
【００１８】
図５は、図３におけるＢ−Ｂ断面図を示すものである。図５に示すように、ダストボックス本体１５内には、その略同心状に一次フィルター１４が設けられ、無数の貫通孔を有している。一次フィルター１４の下方は傘状の延出部形状１４ａとなっている。
【００１９】
一次フィルター１４の上方にはプリーツ状に形成された二次フィルター１１が設けられ、更にその内径には、二次フィルター１１に蓄積した塵埃を振動などの手段により落とすための除塵部１２や、除塵部１２に振動を与える手段となる回転レバー７を備えている。
【００２０】
図１に示す吸込具２から吸い込まれる塵埃の混じった空気は、掃除機本体１の下方に設けた吸入口１ａを経由して、図３に示すダストボックス本体１５に設けた吸気口Ｂ２３に吸い込まれる。吸気口Ｂ２３に吸い込まれた空気は図５に示す一次フィルター１４の外周とダストボックス本体１５で形成されるサイクロン空間２４に流れ、そこに発生する旋回流により綿ごみを主とした塵埃と細塵を含んだ空気とに遠心分離される。綿ごみを主とした塵埃は、延出部１４ａとダストボックス本体１５間に形成される集塵通路２５を通り塵埃蓄積空間２６へと蓄積されていく。
【００２１】
サイクロン空間２４で塵埃が粗塵と細塵に分離され、細塵を含んだ空気は、一次フィルター１４を通過し、二次フィルター１１によって細塵が濾過される。そして、細塵を含まない空気が二次フィルター１１を通過し図３に示す吸気口Ａ２２を通過し、図１に示す電動送風機５に吸引される。
【００２２】
二次フィルター１１に堆積した細塵は、二次フィルター１１の内径に設けられた除塵部１２に上方に組み合わせた回転レバー７を（手動）回転させることにより除塵部１２に取り付けられた、左右のバネ１３をリブ１１ａに接触させ、振動を与えることによって、二次フィルター１１から剥離する。そして剥離した細塵は、一次フィルター取り付け枠１４ｂより内側の空間を通り、一次フィルター１４下方でかつ延出部１４ａの内側に設けた、内筒２７へと蓄積される。
【００２３】
内筒２７の上部は、剥離した細塵を内筒２７の底部へ導きやすくするために傾斜形状と
なっている。内筒２７は、一次フィルター１４と連通しており、開口した下端はフタ１７に設けられたパッキンＤ２１により塵埃蓄積空間２６と隔離されている。
【００２４】
一次フィルター取り付け枠１４ｂの径は、一次フィルター１４の外径Ｒ１より大きく、かつサイクロン空間２４を形成するダストボックス本体１５の外壁２８の内径Ｒ２よりも大きくなっている。一次フィルター取り付け枠１４ｂはダストボックス本体１５の上方から挿入され、パッキンＢ１９で保持リブ１５ｂと圧接して保持される。
【００２５】
二次フィルター１１は、一次フィルター１４上方に設けられ、二次フィルター１１の外周には、パッキンＡ１８が取り付けられており、パッキンＡ１８の下側１８ａは、一次フィルター１４の保持リブ１４ｃと圧接して保持、パッキンＡの上側１８ｂは、上部カバー８の内壁と周タイトされ、それぞれがエアータイトの役割を果たしている。二次フィルター１１の外径は、一次フィルター１４の外径Ｒ１より大きくなっており、空気の流通抵抗を極力減らす構成となっている。
【００２６】
次に、カバー部２９の詳細構成について説明する。図５、６に示すように、ハンドル９、左右バックル１０を備え付けた上部カバー８に、外周にパッキンＡ１８を挿入した二次フィルター１１をセットし、除塵部１２の上方と前記二次フィルター１１の孔部、前記上部カバー８の孔部を介し回転レバー７と組み合わせ、ビスなどの締結手段により、除塵部１２の中心部から回転レバー７の中心部へと連結されることで一体化部品構成から成るカバー部２９が形成される。このような構成により、二次フィルター１１は、回転レバー７、上部カバー８、除塵部１２とで挟み込まれて保持されている。
【００２７】
図７（ａ）は、集塵装置６のフィルター部３０の組み立て構成を示した斜視図である。図７（ａ）に示すように、フィルター部３０は、カバー部２９、一次フィルター１４から構成され、一次フィルター１４とカバー部２９は、二次フィルターの凸部１１ｂと一次フィルターの凹部１４ａを組合せるバヨネット方式等により、着脱自在となっており、そして、装着状態では、図８に示すように、フィルター部３０は、一体化した構成となるものである。
【００２８】
図７（ｂ）は、集塵装置６におけるフィルター部３０とダストボックス本体１５との組み立て構成を示した斜視図である。フィルター部３０をダストボックス本体１５内に装着し、左右のバックル１０をダストボックス本体１５に設けた係止部に引っ掛けることで一体保持される構成としている。
【００２９】
また、図７（ｂ）に示すように、一次フィルター１４のお手入れをする場合、ハンドル９を倒立させ、左右のバックル１０を外し、ハンドル９を持ち手としてフィルター部３０をダストボックス本体１５から取り出すだけでよく、一次フィルター１４のメンテナンスの容易化が図れる構成となっているものである。
【産業上の利用可能性】
【００３０】
以上のように、本発明に係る集塵装置は、塵埃をサイクロン式分離という原理に基づいて収集する集塵装置において、フィルターのメンテナンスの容易化を目的とするものであり、家庭用や業務用の電気掃除機等に適用できる。
【符号の説明】
【００３１】
１  掃除機本体
６  集塵装置
８  上部カバー
１１  二次フィルター
１２  除塵部
１４  一次フィルター
１５  ダストボックス本体
２２  吸気口Ａ
２３  吸気口Ｂ
２４  サイクロン空間
２５  集塵通路
２６  塵埃蓄積空間
２７  内筒
２９  カバー部
３０  フィルター部
【図１】
2013111333.tif 000003
【図２】
2013111333.tif 000004
【図３】
2013111333.tif 000005
【図４】
2013111333.tif 000006
【図５】
2013111333.tif 000007
【図６】
2013111333.tif 000008
【図７】
2013111333.tif 000009
【図８】
2013111333.tif 000010
【図９】
2013111333.tif 000011